(57)【要約】【課題】  利用者によるガス抜きを従来より容易化することができる噴射装置を提供する。【解決手段】  噴射装置３０は、押されることによってエアゾール容器の内容物の噴射を行うための噴射ボタン４０と、噴射ボタン４０を覆うボタンカバー５０とを備え、ボタンカバー５０は、噴射ボタン４０に対する位置として、噴射が許可される噴射許可位置と、エアゾール容器のガス抜きのためのガス抜き位置とを含み、噴射ボタン４０は、利用者によって押されるための操作部４４ｃを有し、ボタンカバー５０は、噴射ボタン４０に対する位置が噴射許可位置であるときに操作部４４ｃを外部に露出させるボタン露出部５３と、噴射ボタン４０に対する位置がガス抜き位置であるときに噴射ボタン４０に接触して噴射ボタン４０を移動方向に押すボタン押部５４とを有する。【選択図】  図４
2010195467.tif 000002
【特許請求の範囲】
【請求項１】
押されることによってエアゾール容器の内容物の噴射を行うための噴射ボタンと、前記噴射ボタンを覆うボタンカバーとを備え、
前記ボタンカバーは、前記噴射ボタンに対する位置として、前記噴射が許可される噴射許可位置と、前記エアゾール容器のガス抜きのためのガス抜き位置とを含み、
前記噴射許可位置および前記ガス抜き位置は、前記ボタンカバーが前記噴射ボタンに被せられるときの移動方向に延在する軸線を中心とした角度が互いに異なる位置であり、
前記噴射ボタンは、利用者によって押されるための操作部を有し、
前記ボタンカバーは、前記噴射ボタンに対する位置が前記噴射許可位置であるときに前記操作部を外部に露出させるボタン露出部と、前記噴射ボタンに対する位置が前記ガス抜き位置であるときに前記噴射ボタンに接触して前記噴射ボタンを前記移動方向に押すボタン押部とを有することを特徴とする噴射装置。
【請求項２】
前記ボタン押部は、前記噴射ボタンに対する前記ボタンカバーの位置が前記噴射許可位置であるときに前記噴射ボタンの外周に沿って配置されていることを特徴とする請求項１に記載の噴射装置。
【請求項３】
前記ボタン押部は、前記噴射ボタンおよび前記ボタンカバーが一体化させられるために前記噴射ボタンと嵌め合う嵌合部を有していることを特徴とする請求項１または請求項２に記載の噴射装置。
【請求項４】
前記噴射ボタンは、前記噴射を行うためのノズルを有し、
前記ボタンカバーは、前記噴射ボタンに対する位置が前記ガス抜き位置であるときに前記ノズルの噴射口に対向する噴射口対向壁部を有していることを特徴する請求項１から請求項３までの何れかに記載の噴射装置。
【請求項５】
請求項１から請求項４までの何れかに記載の噴射装置と、前記噴射装置が取り付けられたエアゾール容器とを備えていることを特徴とするエアゾール式製品。
【発明の詳細な説明】
【技術分野】
【０００１】
本発明は、エアゾール容器の内容物の噴射を行うための噴射装置およびこれを備えたエアゾール式製品に関する。
【背景技術】
【０００２】
従来、エアゾール容器のガス抜きのための機構を備えた噴射装置として、押されることによってエアゾール容器の内容物の噴射を行うための噴射ボタンと、噴射ボタンを覆うボタンカバーとを備えているものが知られている（例えば、特許文献１参照。）。この噴射装置は、噴射ボタンがボタンカバーから一旦取り外され、その噴射ボタンが引っ繰り返されて上下逆の状態で再びボタンカバーに取り付けられることによって、連続噴射が開始される。この連続噴射によって、エアゾール容器のガス抜きが行われる。
【先行技術文献】
【特許文献】
【０００３】
【特許文献１】特開２００７−３０２３３８号公報
【発明の概要】
【発明が解決しようとする課題】
【０００４】
しかしながら、上記従来の噴射装置においては、ガス抜きの際に小さな部品である噴射ボタンがボタンカバーから取り外されたり、引っ繰り返されて上下逆の状態で再びボタンカバーに取り付けられたりするという細かい操作が必要であるので、利用者によってはガス抜きの操作が容易ではない場合がある。
【０００５】
また、上記従来の噴射装置においては、ガス抜きの際に噴射ボタンが通常の使用状態とは上下逆の状態にされるという直感的には分かり難い特殊な操作が必要であるので、利用者によってはガス抜きの操作が容易ではない場合がある。
【０００６】
そこで、本発明は、利用者によるガス抜きを従来より容易化することができる噴射装置を提供することを目的とする。
【課題を解決するための手段】
【０００７】
本発明の噴射装置は、押されることによってエアゾール容器の内容物の噴射を行うための噴射ボタンと、前記噴射ボタンを覆うボタンカバーとを備え、前記ボタンカバーは、前記噴射ボタンに対する位置として、前記噴射が許可される噴射許可位置と、前記エアゾール容器のガス抜きのためのガス抜き位置とを含み、前記噴射許可位置および前記ガス抜き位置は、前記ボタンカバーが前記噴射ボタンに被せられるときの移動方向に延在する軸線を中心とした角度が互いに異なる位置であり、前記噴射ボタンは、利用者によって押されるための操作部を有し、前記ボタンカバーは、前記噴射ボタンに対する位置が前記噴射許可位置であるときに前記操作部を外部に露出させるボタン露出部と、前記噴射ボタンに対する位置が前記ガス抜き位置であるときに前記噴射ボタンに接触して前記噴射ボタンを前記移動方向に押すボタン押部とを有することを特徴とする。
【０００８】
この構成により、本発明の噴射装置は、噴射ボタンより大きい部品であるボタンカバーの操作によってガス抜きが行われるので、ガス抜きのために従来ほどの細かい操作が必要ない。また、本発明の噴射装置は、ガス抜きの際にボタンカバーが通常の使用状態とは上下逆の状態にされることがないので、ガス抜きの操作が従来より直感的に分かり易い。したがって、本発明の噴射装置は、利用者によるガス抜きを従来より容易化することができる。
【０００９】
本発明の噴射装置の前記ボタン押部は、前記噴射ボタンに対する前記ボタンカバーの位置が前記噴射許可位置であるときに前記噴射ボタンの外周に沿って配置されていることが好ましい。
【００１０】
この構成により、本発明の噴射装置は、噴射ボタンに対するボタンカバーの位置がガス抜き位置であるときに噴射ボタンを押す機能だけでなく、噴射ボタンに対するボタンカバーの位置が噴射許可位置であるときにボタンカバーの内部空間がボタン露出部を介して利用者に見られることを防止する機能をもボタン押部が備えているので、それぞれの機能を別々の構成によって実現している場合と比較して、ボタンカバーの構成を簡略化することができる。
【００１１】
本発明の噴射装置の前記ボタン押部は、前記噴射ボタンおよび前記ボタンカバーが一体化させられるために前記噴射ボタンと嵌め合う嵌合部を有していることが好ましい。
【００１２】
この構成により、本発明の噴射装置は、噴射ボタンを押す機能だけでなく、噴射ボタンとボタンカバーとを一体化させる機能をもボタン押部が備えているので、それぞれの機能を別々の構成によって実現している場合と比較して、ボタンカバーの構成を簡略化することができる。
【００１３】
本発明の噴射装置の前記噴射ボタンは、前記噴射を行うためのノズルを有し、前記ボタンカバーは、前記噴射ボタンに対する位置が前記ガス抜き位置であるときに前記ノズルの噴射口に対向する噴射口対向壁部を有していることが好ましい。
【００１４】
この構成により、本発明の噴射装置は、エアゾール容器のガス抜きの際にノズルの噴射口から噴射されるガスが噴射口対向壁部に当たって拡散する。したがって、本発明の噴射装置は、エアゾール容器のガス抜きの際にガスが噴射装置外に強い勢いで噴射されることを防止することができる。
【００１５】
本発明のエアゾール式製品は、本発明の噴射装置と、前記噴射装置が取り付けられたエアゾール容器とを備えていることを特徴とする。
【発明の効果】
【００１６】
本発明の噴射装置は、利用者によるガス抜きを従来より容易化することができる。
【図面の簡単な説明】
【００１７】
【図１】本発明の一実施の形態に係るエアゾール式製品の外観斜視図である。
【図２】噴射ボタンに対するボタンカバーの位置が噴射許可位置であるときの図１に示すエアゾール式製品の上面図である。
【図３】図２のＩＩＩ矢視断面図である。
【図４】噴射ボタンに対するボタンカバーの位置がガス抜き位置であるときの図１に示すエアゾール式製品の上面図である。
【図５】図４のＶ矢視断面図である。
【図６】図４のＶＩ矢視断面図である。
【図７】図１に示すエアゾール式製品の噴射装置の噴射ボタンの上面図である。
【図８】図１に示すエアゾール式製品の噴射装置のボタンカバーの底面図である。
【図９】図８のＩＸ矢視断面図である。
【図１０】図１に示すエアゾール式製品の噴射装置の側面図であって、ボタンカバーの一部分を破断させた状態の図である。
【図１１】噴射ボタンに対するボタンカバーの位置が噴射許可位置であるときの図１に示すエアゾール式製品の断面図であって、噴射ボタンの操作部が押し下げられている状態の図である。
【発明を実施するための形態】
【００１８】
以下、本発明の一実施の形態について、図面を用いて説明する。
【００１９】
まず、本実施の形態に係るエアゾール式製品の構成について説明する。
【００２０】
図１は、本実施の形態に係るエアゾール式製品１０の外観斜視図である。図２は、噴射ボタン４０に対するボタンカバー５０の位置が噴射許可位置であるときのエアゾール式製品１０の上面図である。図３は、図２のＩＩＩ矢視断面図である。なお、図２および図３において、破線は、噴射ボタン４０およびボタンカバー５０の構成のうち隠れている構成の一部を示している。
【００２１】
図１〜図３に示すように、エアゾール式製品１０は、エアゾール容器２０と、エアゾール容器２０の上部に取り付けられてエアゾール容器２０の内容物の噴射を行うための噴射装置３０とを備えている。噴射装置３０は、押されることによってエアゾール容器２０の内容物の噴射を行うためのプラスチック製の噴射ボタン４０と、噴射ボタン４０を覆うプラスチック製のボタンカバー５０とを備えている。
【００２２】
図４は、噴射ボタン４０に対するボタンカバー５０の位置がガス抜き位置であるときのエアゾール式製品１０の上面図である。図５は、図４のＶ矢視断面図である。図６は、図４のＶＩ矢視断面図である。なお、図４〜図６において、破線は、噴射ボタン４０およびボタンカバー５０の構成のうち隠れている構成の一部を示している。
【００２３】
図２〜図６に示すように、ボタンカバー５０は、エアゾール容器２０のマウンティングカップ２１に装着されるようになっており、マウンティングカップ２１に装着されるときに矢印３１ａで示す方向に移動させられるようになっている。ボタンカバー５０は、噴射ボタン４０に対する位置として、エアゾール容器２０の内容物の噴射が許可される噴射許可位置（図２および図３参照。）と、エアゾール容器２０のガス抜きのためのガス抜き位置（図４〜図６参照。）とを含んでいる。噴射許可位置およびガス抜き位置は、矢印３１ａで示す移動方向に延在する軸線３１を中心とした角度が互いに異なる位置である。なお、エアゾール容器２０のマウンティングカップ２１には、エアゾール容器２０の内容物が噴射されるためのステム２２が中央に形成されている。ステム２２は、矢印３１ａで示す方向に移動させられることによって開放されるようになっている。
【００２４】
図７は、噴射ボタン４０の上面図である。
【００２５】
図２、図３および図７に示すように、噴射ボタン４０は、軸線３１を軸とした略円筒形の円筒部４１と、軸線３１と直交する直線を軸とした略円筒形であって円筒部４１に繋がっている円筒部４２と、円筒部４２に嵌められてエアゾール容器２０の内容物の噴射を行うためのノズル４３とを有している。円筒部４１は、内周側にエアゾール容器２０のステム２２に係合する係合部４１ａと、係合部４１ａに連通する流路４１ｂとを有している。円筒部４２は、円筒部４１の流路４１ｂに連通する流路４２ａを有している。ノズル４３は、円筒部４２の流路４２ａに連通してエアゾール容器２０の内容物が噴射される噴射口４３ａを有している。
【００２６】
また、噴射ボタン４０は、円筒部４１に係合部４１ａ側とは反対側で繋がっていて軸線３１と直交する長方形の平板部４４を有している。平板部４４は、２組の向かい合う辺４４ａ、４４ｂのうち１組の辺４４ａが円筒部４２の延在方向と同一の方向に延在する長方形である。噴射ボタン４０は、平板部４４の２つの辺４４ａのそれぞれから平板部４４に直交するように延在させられた２つの壁部４５と、平板部４４の２つの辺４４ｂのそれぞれから平板部４４に直交するように延在させられた２つの壁部４６と、２つの壁部４５のそれぞれから壁部４５に直交するように延在させられた円柱形の２つの突起部４７とを有している。
【００２７】
平板部４４は、２つの辺４４ｂのうちノズル４３の噴射口４３ａから遠い辺の近傍の部分で、利用者によって押されることによってノズル４３に噴射を行わせるための操作部４４ｃを構成している。また、平板部４４は、ガス抜き位置（図４参照。）の位置決めに使用される位置決め表示４４ｄが２つの辺４４ａの近傍にそれぞれ付されている。
【００２８】
図８は、ボタンカバー５０の底面図である。図９は、図８のＩＸ矢視断面図である。
【００２９】
図１〜図３、図８および図９に示すように、ボタンカバー５０は、マウンティングカップ２１が挿入される挿入口５１ａが一端に形成されていて軸線３１を軸とした略円筒形である円筒部５１と、円筒部５１のうち挿入口５１ａ側とは反対側に繋がっている天井部５２と、円筒部５１および天井部５２に跨って設けられていて噴射ボタン４０に対するボタンカバー５０の位置が噴射許可位置（図２参照。）であるときに噴射ボタン４０の操作部４４ｃを外部に露出させるボタン露出部５３と、噴射ボタン４０に対するボタンカバー５０の位置がガス抜き位置（図４参照。）であるときに噴射ボタン４０に接触して噴射ボタン４０を矢印３１ａで示す移動方向に押すボタン押部５４と、噴射ボタン４０に対するボタンカバー５０の位置が噴射許可位置である場合であって噴射ボタン４０の操作部４４ｃが押されたときに噴射ボタン４０の円筒部４２と接触するボタン接触部５５とを有している。
【００３０】
円筒部５１は、周方向に延在している３つの突起部５１ｂを内周面上に有している。円筒部５１は、エアゾール容器２０のマウンティングカップ２１のうちエアゾール容器２０の肩部２３側の部分に突起部５１ｂで接触することによって、エアゾール容器２０に固定されるようになっている。ここで、ボタンカバー５０は、円筒部５１の挿入口５１ａを介して円筒部５１内にエアゾール容器２０のマウンティングカップ２１が挿入される場合であって円筒部５１の突起部５１ｂがマウンティングカップ２１とすれ違うときに、円筒部５１の径が一時的に拡がることによって、図３に示す状態でエアゾール容器２０に取り付けられる。また、円筒部５１は、噴射ボタン４０に対するボタンカバー５０の位置が噴射許可位置（図３参照。）であるときにノズル４３の噴射口４３ａに対向して噴射口４３ａを外部に露出させる噴射口用窓５１ｃとを有している。なお、円筒部５１の壁部５１ｄ（図５参照。）は、噴射ボタン４０に対するボタンカバー５０の位置がガス抜き位置（図５参照。）であるときにノズル４３の噴射口４３ａに対向するようになっており、噴射口対向壁部を構成している。
【００３１】
天井部５２は、軸線３１の延在方向に直交している壁部である。
【００３２】
ボタン露出部５３は、円筒部５１に繋がっていて軸線３１の延在方向に直交する壁部５３ａと、天井部５２に繋がっていて円筒部５１の径方向に直交する壁部５３ｂと、円筒部５１、天井部５２、壁部５３ａおよび壁部５３ｂに繋がっていて互いに対向する１組の壁部５３ｃとを有している。壁部５３ａは、ガス抜き位置（図４参照。）の位置決めに使用される位置決め表示５３ｄが付されている。壁部５３ｃは、壁部５３ａおよび壁部５３ｂの双方に直交している。
【００３３】
ボタン押部５４は、ボタン露出部５３の壁部５３ｃから延長されて互いに対向する１組の壁部であって、噴射ボタン４０に対するボタンカバー５０の位置が噴射許可位置（図２および図３参照。）であるときに噴射ボタン４０の外周に沿って配置されている。ボタン押部５４は、天井部５２および壁部５３ｂに繋がっていて天井部５２および壁部５３ｂの双方に直交している。ボタン押部５４は、矢印３１ａで示す方向の端面５４ａが軸線３１の延在方向に直交している。端面５４ａは、噴射ボタン４０に対するボタンカバー５０の位置が噴射許可位置（図２および図３参照。）である場合であって噴射ボタン４０が押されていないときに、矢印３１ａで示す方向における位置が噴射ボタン４０の平板部４４より矢印３１ａで示す方向側の位置である。
【００３４】
図１０は、噴射装置３０の側面図であって、ボタンカバー５０の一部分を破断させた状態の図である。
【００３５】
図１０に示すように、ボタン押部５４は、噴射ボタン４０およびボタンカバー５０が一体化させられるために噴射ボタン４０の突起部４７と嵌め合う嵌合部としての嵌合溝５４ｂと、端面５４ａおよび嵌合溝５４ｂに繋がっていて噴射ボタン４０の突起部４７を嵌合溝５４ｂに導くために傾斜している傾斜部５４ｃとを有している。嵌合溝５４ｂの形状は、噴射ボタン４０の突起部４７の外形に沿った形状であって、突起部４７を保持できるように中心角の大きさが１８０°より大きい弧の形状である。すなわち、嵌合溝５４ｂの開口５４ｄの幅は、噴射ボタン４０の突起部４７の径より若干小さい。ここで、ボタンカバー５０は、噴射ボタン４０の突起部４７が開口５４ｄとすれ違うときに開口５４ｄが一時的に拡がることによって、開口５４ｄを介して嵌合溝５４ｂ内に噴射ボタン４０の突起部４７が挿入されるようになっている。
【００３６】
図３に示すように、ボタン接触部５５は、天井部５２およびボタン押部５４に繋がっていて天井部５２およびボタン押部５４の双方に直交している壁部である。ボタン接触部５５は、噴射ボタン４０の円筒部４２が挿入される略Ｕ字状の溝５５ａ（図５参照。）が噴射口用窓５１ｃに対向する箇所に形成されている。溝５５ａは、矢印３１ａで示す方向に開いている。
【００３７】
次に、エアゾール式製品１０の機能について説明する。
【００３８】
（組立時）
まず、噴射装置３０は、ボタンカバー５０の嵌合溝５４ｂ内に噴射ボタン４０の突起部４７が挿入されることによって、図１０に示すように、噴射ボタン４０およびボタンカバー５０が一体化される。
【００３９】
次いで、エアゾール式製品１０は、噴射装置３０のボタンカバー５０の円筒部５１内にエアゾール容器２０のマウンティングカップ２１が挿入されて固定される。そして、噴射装置３０の噴射ボタン４０の操作部４４ｃが矢印３１ａで示す方向に押されると、噴射ボタン４０は、突起部４７を軸として回転して円筒部４２がボタンカバー５０のボタン接触部５５の溝５５ａの壁に接触した後、溝５５ａの壁との接触部分を支点として回転することによって、図３に示すように、ボタンカバー５０の嵌合溝５４ｂから噴射ボタン４０の突起部４７が外れて噴射ボタン４０の係合部４１ａにエアゾール容器２０のステム２２が嵌まる。
【００４０】
（通常使用時）
図１１は、噴射ボタン４０に対するボタンカバー５０の位置が噴射許可位置であるときのエアゾール式製品１０の断面図であって、噴射ボタン４０の操作部４４ｃが押し下げられている状態の図である。
【００４１】
図２および図３に示すように噴射ボタン４０に対するボタンカバー５０の位置が噴射許可位置であるとき、エアゾール式製品１０は、図１１に示すように利用者によって噴射ボタン４０の操作部４４ｃが矢印３１ａで示す方向に押し下げられると、噴射ボタン４０がボタンカバー５０のボタン接触部５５の溝５５ａの壁との接触部分を支点として回転することによって、噴射ボタン４０がエアゾール容器２０のステム２２を矢印３１ａで示す方向に押し下げてステム２２を開放する。これによって、エアゾール容器２０の内容物は、ステム２２、噴射ボタン４０および噴射口用窓５１ｃを介してエアゾール式製品１０の外部に噴射される。
【００４２】
（ガス抜き時）
まず、ボタンカバー５０は、利用者によって矢印３１ａで示す方向とは反対方向に引っ張られて、エアゾール容器２０から外される。次いで、ボタンカバー５０は、利用者によってガス抜き位置、すなわち、図４に示すように位置決め表示５３ｄと噴射ボタン４０の位置決め表示４４ｄとが対向する位置に合わせられて、円筒部５１内にエアゾール容器２０のマウンティングカップ２１が挿入されて固定される。ここで、ボタンカバー５０は、図５および図６に示すようにボタン押部５４の端面５４ａで噴射ボタン４０の平板部４４に接触することによって、噴射ボタン４０を矢印３１ａで示す方向に完全に押し下げている。
【００４３】
したがって、エアゾール式製品１０は、図４〜図６に示すように噴射ボタン４０に対するボタンカバー５０の位置がガス抜き位置であるとき、噴射ボタン４０がエアゾール容器２０のステム２２を矢印３１ａで示す方向に押し下げてステム２２を開放している。これによって、エアゾール容器２０内のガスは、ステム２２および噴射ボタン４０を介して噴射され続ける。ここで、噴射ボタン４０に対するボタンカバー５０の位置がガス抜き位置であるとき、噴射ボタン４０の噴射口４３ａにはボタンカバー５０の壁部５１ｄが対向しているので、噴射口４３ａから噴射されたガスは、壁部５１ｄに当たって、エアゾール容器２０のマウンティングカップ２１と噴射装置３０とで囲まれた空間内に拡散し、ボタンカバー５０の噴射口用窓５１ｃやボタン露出部５３を通ってエアゾール式製品１０の外部に流れ出る。
【００４４】
なお、噴射装置３０は、以上の説明において、噴射ボタン４０の２つの位置決め表示４４ｄのうちの一方と、ボタンカバー５０の位置決め表示５３ｄとが対向する位置に合わせられることによって、ガス抜き位置になっているが、２つの位置決め表示４４ｄのうちの他方と、位置決め表示５３ｄとが対向する位置に合わせられることによっても、同様にガス抜き位置になる。
【００４５】
以上に説明したように、噴射装置３０は、噴射ボタン４０より大きい部品であるボタンカバー５０の操作によってガス抜きが行われるので、ガス抜きのために従来ほどの細かい操作が必要ない。また、噴射装置３０は、ガス抜きの際にボタンカバー５０が通常の使用状態とは上下逆の状態にされることがないので、ガス抜きの操作が従来より直感的に分かり易い。したがって、噴射装置３０は、利用者によるガス抜きを従来より容易化することができる。
【００４６】
また、噴射装置３０のボタン押部５４は、噴射ボタン４０に対するボタンカバー５０の位置が噴射許可位置であるときに噴射ボタン４０の外周に沿って配置されている。すなわち、噴射装置３０は、噴射ボタン４０に対するボタンカバー５０の位置がガス抜き位置であるときに噴射ボタン４０を押す機能だけでなく、噴射ボタン４０に対するボタンカバー５０の位置が噴射許可位置であるときにボタンカバー５０の内部空間がボタン露出部５３を介して利用者に見られることを防止する機能をもボタン押部５４が備えている。したがって、噴射装置３０は、それぞれの機能を別々の構成によって実現している場合と比較して、ボタンカバー５０の構成を簡略化することができる。
【００４７】
また、噴射装置３０のボタン押部５４は、噴射ボタン４０およびボタンカバー５０が一体化させられるために噴射ボタン４０と嵌め合う嵌合溝５４ｂを有している。すなわち、噴射装置３０は、噴射ボタン４０を押す機能だけでなく、噴射ボタン４０とボタンカバー５０とを一体化させる機能をもボタン押部５４が備えている。したがって、噴射装置３０は、それぞれの機能を別々の構成によって実現している場合と比較して、ボタンカバー５０の構成を簡略化することができる。
【００４８】
また、噴射装置３０は、エアゾール容器２０のガス抜きの際に、噴射ボタン４０の噴射口４３ａにボタンカバー５０の壁部５１ｄが対向するので、噴射口４３ａから噴射されるガスが壁部５１ｄに当たって拡散する。したがって、噴射装置３０は、エアゾール容器２０のガス抜きの際にガスが噴射装置３０外に強い勢いで噴射されることを防止することができる。ガス抜きは、主にエアゾール式製品１０の廃棄時に行われるので、ガスが特定の方向に強い勢いで噴射される必要性が乏しい。噴射装置３０は、ガス抜きの際にガスが拡散されるようになっており、例えばガスが利用者に強い勢いで直接当たることを防止することができる。
【００４９】
なお、ボタン押部５４は、噴射ボタン４０およびボタンカバー５０が一体化させられるために噴射ボタン４０の突起部４７と嵌め合う嵌合部として嵌合溝５４ｂを有しているが、溝以外を有していても良い。例えば、ボタン押部５４は、噴射ボタン４０側が溝を有している場合にはその溝に嵌まる嵌合部として突起部を有していても良い。
【符号の説明】
【００５０】
１０  エアゾール式製品
２０  エアゾール容器
３０  噴射装置
３１  軸線
４０  噴射ボタン
４３  ノズル
４３ａ  噴射口
４４ｃ  操作部
５０  ボタンカバー
５１ｄ  壁部（噴射口対向壁部）
５３  ボタン露出部
５４  ボタン押部
５４ｂ  嵌合溝（嵌合部）
【図１】
2010195467.tif 000003
【図２】
2010195467.tif 000004
【図３】
2010195467.tif 000005
【図４】
2010195467.tif 000006
【図５】
2010195467.tif 000007
【図６】
2010195467.tif 000008
【図７】
2010195467.tif 000009
【図８】
2010195467.tif 000010
【図９】
2010195467.tif 000011
【図１０】
2010195467.tif 000012
【図１１】
2010195467.tif 000013